(57)【要約】【課題】  資料提示装置におけるズーム操作の操作性を向上させる。【解決手段】  資料提示装置１００は、正逆方向に回転自在のシャトル操作部１７０を備えている。シャトル操作部１７０は、モーメンタリ機構を備えており、ユーザが手を離すと中立位置に自動復帰する。サブマイコン３６０は、シャトル操作部１７０から回転方向と回転角度を表す信号を入力すると、これらの信号に基づき、ズーム方向とズーム速度とを決定し、レンズ制御マイコン１２７もしくは映像信号処理ＩＣ３００に対して指令を与えることで光学ズームまたは電子ズームを行わせる。【選択図】  図３
2006197320.tif 000002
【特許請求の範囲】
【請求項１】
資料提示装置であって、
ズームレンズを備え、ステージに載置された被撮像物を撮像するカメラヘッドと、
前記ズームレンズをテレ側およびワイド側に駆動する駆動部と、
前記カメラヘッドにより撮像された画像を出力する画像出力部と、
少なくとも異なる２つの方向への操作方向を弁別可能であり、該各操作方向への操作量を検出可能な単一の操作部と、
前記操作部の操作方向に応じてテレ側またはワイド側にズーム方向を決定するとともに前記操作量に応じてズーム速度を決定し、該決定されたズーム方向とズーム速度とに基づき、前記駆動部を制御するズーム制御部と
を備える資料提示装置。
【請求項２】
請求項１に記載の資料提示装置であって、
前記画像出力部は、前記カメラヘッドにより撮像された画像に対して電子ズームを行う手段を備え、
前記ズーム制御部は、前記ズームレンズがテレ端に達した後に、更に、前記操作部によるテレ側へのズーム操作があった場合には、前記画像出力部を制御して前記画像の電子ズームを行う
資料提示装置。
【請求項３】
請求項２に記載の資料提示装置であって、
前記ズーム制御部は、前記電子ズームを行う場合には、前記操作部の操作量にかかわらず、一定のズーム速度で電子ズームを行う
資料提示装置。
【請求項４】
請求項１ないし３のいずれかに記載の資料提示装置であって、
前記操作部は、正逆方向に回転する回転体を備え、該回転体の回転操作に基づき、前記操作方向と操作量とを検出する
資料提示装置。
【請求項５】
請求項４に記載の資料提示装置であって、
前記操作部は、回転操作がない場合に、回転角度が中立位置に自動復帰するモーメンタリ機構を備える
資料提示装置。
【請求項６】
請求項１ないし３のいずれかに記載の資料提示装置であって、
前記操作部は、接触した指先の動きを検出するタッチパッドを備え、該タッチパッドにより検出した指先の動きに基づき、前記操作方向と操作量とを検出する
資料提示装置。
【請求項７】
請求項１ないし６のいずれかに記載の資料提示装置であって、
前記操作部は、前記ステージの一部に設けられている
資料提示装置。
【発明の詳細な説明】
【技術分野】
【０００１】
本発明は、資料を撮像して外部モニタ等に表示する資料提示装置に関する。
【背景技術】
【０００２】
従来の資料提示装置では、ズームの調整を行うための操作ボタンが、ズーム方向に応じてテレ側とワイド側とに１つずつ用意されていることが多かった。このような資料提示装置においてズームの調整を行うためには、それぞれの操作ボタンの位置を確認しながら操作を行う必要があった。
【０００３】
ズームの操作方式に関して、例えば、下記特許文献１は、ジョグダイヤルを備えたスチルカメラに関する技術が記載されている。この文献には、ジョグダイヤルを回転させることでズームが行われ、その回転方向に応じてズーム方向が切り替わる旨の記載がある。このようなジョグダイヤルによれば、テレ側へのズーム操作とワイド側へのズーム操作とが１つの操作部によって実現することができるため、従来のように、複数用意されたボタンの位置を確認することが不要となる。
【０００４】
【特許文献１】特開２００２−３３３６６０号公報
【０００５】
コンパクトタイプのスチルカメラでは、ズーム倍率は一般的に２〜３倍程度であるため、ワイド端からテレ端までズームを行ったとしてもジョグダイヤルの回転操作はそれほどユーザの負担とはならない。しかし、近年の資料提示装置では、１０〜２０倍ものズーム倍率があるため、目的の倍率に達するまでには、ジョグダイヤルを何回転も回転させ続けなければならない場合があり、ユーザの利便性を損なうおそれがあった。
【発明の開示】
【発明が解決しようとする課題】
【０００６】
本発明は、上述した課題に鑑みてなされたものであり、資料提示装置のズーム操作の操作性をより向上させることを目的とする。
【課題を解決するための手段】
【０００７】
上記目的を踏まえ、本発明の資料提示装置は、
ズームレンズを備え、ステージに載置された被撮像物を撮像するカメラヘッドと、
前記ズームレンズをテレ側およびワイド側に駆動する駆動部と、
前記カメラヘッドにより撮像された画像を出力する画像出力部と、
少なくとも異なる２つの方向への操作方向を弁別可能であり、該各操作方向への操作量を検出可能な単一の操作部と、
前記操作部の操作方向に応じてテレ側またはワイド側にズーム方向を決定するとともに前記操作量に応じてズーム速度を決定し、該決定されたズーム方向とズーム速度とに基づき、前記駆動部を制御するズーム制御部と
を備えることを要旨とする。
【０００８】
本発明の資料提示装置によれば、操作部の操作量に応じてズーム速度が調整されるため、ズームの微調整や大まかな調整を容易に行うことができる。また、ズーム速度を調整することで目的のズーム倍率に速やかにズームを合わせることができ、従来のジョグダイヤルのように目的のズーム倍率に達するまで操作部を回転させ続けることも不要である。そのため、ズーム操作の操作性を向上させることが可能となる。
【０００９】
また、上記構成の資料提示装置において、
前記画像出力部は、前記カメラヘッドにより撮像された画像に対して電子ズームを行う手段を備え、
前記ズーム制御部は、前記ズームレンズがテレ端に達した後に、更に、前記操作部によるテレ側へのズーム操作があった場合には、前記画像出力部を制御して前記画像の電子ズームを行うものとしてもよい。
【００１０】
このような構成によれば、光学ズームがサポートする最大倍率を超える倍率で被撮像物の表示を行うことができる。また、光学ズームと電子ズームとの切り換えが、ズームレンズのテレ端で行われるため、電子ズームによる画質の劣化を最低限に抑制することができる。
【００１１】
また、上記構成の資料提示装置において、
前記ズーム制御部は、前記電子ズームを行う場合には、前記操作部の回転角度にかかわらず、一定のズーム速度で電子ズームを行うものとしてもよい。
【００１２】
このような構成であれば、現在のズームが、光学ズームで行われているか電子ズームで行われているかを容易に判別することができる。
【００１３】
また、上記構成の資料提示装置において、
前記操作部は、正逆方向に回転する回転体を備え、該回転体の回転操作に基づき、前記操作方向と操作量とを検出するものとしてもよい。
【００１４】
このような構成であれば、回転体を回転させる操作によってズーム方向とズーム速度との両者を直感的に調整することができる。
【００１５】
かかる構成において、前記操作部は、回転操作がない場合に、回転角度が中立位置に自動復帰するモーメンタリ機構を備えるものとしてもよい。
【００１６】
このような構成であれば、力を入れずに回転体を中立位置に戻すことができるため操作性をより向上させることができる。
【００１７】
また、上記構成の資料提示装置において、
前記操作部は、接触した指先の動きを検出するタッチパッドを備え、検出した指先の動きに基づき、前記操作方向と操作量とを検出するものとしてもよい。
【００１８】
こうすることにより、操作部から可動部品を省くことができるため、故障が発生する可能性を低減することができる。
【００１９】
上述した種々の構成の資料提示装置において、
前記操作部は、前記ステージの一部に設けられているものとしてもよい。
【００２０】
このような構成であれば、ステージに手を添えつつ安定した操作を行うことができる。なお、操作部は、これに限らず、カメラヘッドや資料提示装置を遠隔操作するためのリモコン等に設けるものとしてもよい。
【発明を実施するための最良の形態】
【００２１】
以下、本発明の実施の形態について実施例に基づき次の順序で説明する。
Ａ．資料提示装置の全体構成：
Ｂ．資料提示装置の電気的構成：
Ｃ．シャトル操作部：
Ｄ．ズーム制御処理：
【００２２】
Ａ．資料提示装置の全体構成：
図１は、本発明の一実施例としての資料提示装置１００の斜視図である。図示するように、資料提示装置１００は、被撮像物が載置されるテーブル１１０と、このテーブル１１０上に載置された被撮像物を撮像するカメラヘッド１２０と、テーブル１１０上の被撮像物を照明する照明装置１３０とを備える。テーブル１１０は、前方側が丸みを帯びた方形の平板状をなし、前方側上面に、操作パネル１１２を備える。
【００２３】
カメラヘッド１２０は、テーブル１１０に対してカメラ保持アーム１４０で保持される。このカメラ保持アーム１４０は、テーブル側アーム１４２とカメラ側アーム１４４とを備え、テーブル側アーム１４２の基部１４３でテーブル１１０に回動自在に保持される。カメラ側アーム１４４は、カメラヘッドと連結固定され、テーブル側アーム１４２との連結部でそれぞれ回動自在とされている。よって、カメラヘッド１２０は、カメラ側アーム１４４と一体となって、テーブル側アーム１４２の先端で回動可能である。
【００２４】
照明装置１３０は、テーブル１１０に対して照明装置保持アーム１５０で保持される。この照明装置保持アーム１５０は、その基部１５２でテーブル１１０に回動自在に保持され、その先端側では、照明装置１３０を回動自在に保持する。
【００２５】
図２は、資料提示装置１００の背面斜視図である。図示するように、テーブル１１０は、後端側の側壁にテーブル上面を切り欠く凹所１１５を備え、この凹所１１５をカバー１１７で覆う。カバー１１７は、フラップ状に開閉され、閉鎖状態ではテーブル１１０のテーブル上面と実質的に面一となり、カバー部分の表面がテーブル上面と連続した面となる。カバー１１７で覆われた凹所１１５には、外部装置と接続するためのコネクタ類が配置される。ここに配置されるコネクタとしては、液晶ディスプレイ等を接続するためのＤＶＩ出力端子１６０や、コンピュータ等の外部機器からアナログＲＧＢ信号を入力するためのアナログＲＧＢ入力端子１６１、ＣＲＴ等を接続するためのアナログＲＧＢ出力端子１６２、テレビ受像器等を接続するためのコンポジット端子１６３やＳビデオ端子１６４などがある。また、テーブル１１０の右後方側壁には、メモリカード端子１１３とＵＳＢ（Universal Serial Bus）端子１１４とが備えられている。
【００２６】
図３は、操作パネル１１２の構成を示す説明図である。図示するように操作パネル１１２には、ズーム方向やズーム速度を調整するためのシャトル操作部１７０が備えられている。シャトル操作部１７０は、概ね±９０°の角度範囲内において正逆方向に回転可能な回転体を備えており、右方向に回転されればテレ側にズームが行われ、左方向に回転されればワイド側にズームが行われる。このシャトル操作部１７０は、モーメンタリ機構を備えており、回転操作後にユーザがこのシャトル操作部１７０から手を離せば、その回転角度が中立位置に自動的に復帰する。このシャトル操作部１７０は、例えば、アルプス電気社製のシャトル用スイッチＳＲＧＰＴＪ０５００等により構成することができる。
【００２７】
操作パネル１１２には、その他、ピントを自動的に調整するためのオートフォーカスボタン１７１がシャトル操作部１７０の中央部に備えられており、また、アイリスを調整するためのアイリスボタン１７２，１７３や、メモリカードに記録された画像を表示させるためのメモリカードボタン１７４、撮像した画像をメモリカードに記録する画像記録ボタン１７５、好みの機能を割り当て可能な任意設定ボタン１７６、画像の入力元としてカメラヘッド１２０と外部機器とを切り換えるための入力切換ボタン１７７、ホワイトバランスを自動調整するか固定にするかを選択するためのホワイトバランスボタン１７８、照明装置１３０のオン・オフを切り換えるためのランプボタン１７９、画面上に表示させたＯＳＤ（On-Screen Display）の操作を行うためのＯＳＤ操作ボタン１８０等が設けられている。
【００２８】
Ｂ．資料提示装置の電気的構成：
図４は、資料提示装置１００の電気的構成を示すブロック図である。図中、破線内に示した部分は、カメラヘッド１２０内の電気的構成を示しており、他の部分は主としてステージ１１０内の電気的構成を示している。
【００２９】
カメラヘッド１２０は、被撮像物を撮像するためのレンズユニット１２１や、レンズユニット１２１によって集光された光を電気信号に変換するＣＣＤ１２２、ＣＣＤ１２２から出力されるアナログ信号をデジタル信号に変換するアナログフロントエンド１２３、ＣＣＤ１２２とアナログフロントエンド１２３とが動作するための基準パルスを出力するタイミングジェネレータ１２４を備えている。
【００３０】
レンズユニット１２１は、複数のレンズから構成され、ズームレンズ１２８を備えている。カメラヘッド１２０内には、このズームレンズ１２８をテレ側およびワイド側に移動させるためのズームモータ１２５や、このズームモータ１２５を駆動するためのドライバＩＣ１２６を備えている。ズームモータ１２５は、例えば、ステッピングモータやＤＣモータにより構成することができる。ドライバＩＣ１２６は、レンズ制御マイコン１２７に接続されており、このレンズ制御マイコン１２７の指示に応じてズームモータ１２６に出力する信号の周波数や電圧を調整することによりズーム方向やズーム速度を制御する。レンズ制御マイコン１２７は、ズームレンズ１２８がテレ端やワイド端に達した場合に、その旨を表す信号をサブマイコン３６０に伝達する機能を有している。
【００３１】
アナログフロントエンド１２３から出力された映像信号は、テーブル１１０内に設けられた映像信号処理ＩＣ３００に伝送される。この映像信号処理ＩＣ３００は、ＣＰＵやメモリ、ＲＯＭ等を内蔵した１チップマイクロコンピュータとして構成されており、ＣＰＵがＲＯＭに記録されたプログラムを実行することで、カメラヘッド１２０から伝送された映像に対して電子ズームなどの種々の画像処理を施すことができる。
【００３２】
映像信号処理ＩＣ３００には、更に、メモリカード端子１１３とＵＳＢ端子１１４が接続されている。映像信号処理ＩＣ３００は、これらの端子を用いることでメモリカードに対する画像データの書き込みや、ＵＳＢによるパーソナルコンピュータへの画像転送等を行うことができる。
【００３３】
映像信号処理ＩＣ３００によって画像処理の施された映像信号は、フレームレート変換回路３２０に出力される。フレームレート変換回路３２０は、映像信号処理ＩＣ３００から出力される映像信号のフレームレート（例えば、１５フレーム／秒）を、アナログＲＧＢ出力やＤＶＩ出力に適したフレームレート（例えば、６０フレーム／秒）に変換する。
【００３４】
フレームレート変換回路３２０には、ＤＶＩ変換回路３１０とＤＡＣ３３０とが接続されている。ＤＶＩ変換回路３１０は、フレームレート変換回路３２０によってフレームレート変換された映像信号を、液晶ディスプレイ等で標準的に用いられるＤＶＩ信号に変換し、ＤＶＩ出力端子１６０に出力する。一方、ＤＡＣ３３０は、フレームレート変換された映像信号をＤ／Ａ変換し、アナログＲＧＢ信号とする。ＤＡＣ３３０は、セレクタ回路３４０に接続され、さらに、このセレクタ回路３４０には、アナログＲＧＢ入力端子１６１が接続される。セレクタ回路３４０は、サブマイコン３６０からの指示に従い、映像信号の入力元を、ＤＡＣ３３０もしくはアナログＲＧＢ入力端子１６１のいずれかに切り換える。セレクタ回路３４０から出力された映像信号は、アナログＲＧＢ出力端子１６２とダウンコンバータ３５０とに出力される。ダウンコンバータ３５０は、入力されたアナログＲＧＢ信号を、テレビ受像器への出力に適したコンポジット信号やＳビデオ信号に変換し、この信号をコンポジット端子１６３やＳビデオ端子１６４に出力する。
【００３５】
ステージ１１０内には、更に、操作パネル１１２から出力される種々の操作信号を受け付け、この信号に応じて映像信号処理ＩＣ３００やレンズ制御マイコン１２７、照明装置１３０等の制御を行うサブマイコン３６０が備えられている。
【００３６】
Ｃ．シャトル操作部：
図５は、操作パネル１１２に設けられたシャトル操作部１７０からサブマイコン３６０に対して出力される信号を示す説明図である。図示するように、シャトル操作部１７０は１つの入力端子と３つの出力端子とを備えており、入力端子Ｖには、一定の電圧が印加される。一方、出力端子１〜３からは、シャトル操作部１７０の回転方向および回転角度に応じて図の下部に示すような信号が出力される。
【００３７】
出力端子１からは、回転方向を表す信号が出力される。具体的には、右回転の場合にはローとなり、左回転の場合にはハイとなる。ただし、操作部の中立状態において信号が不安定になることを防止するため、回転角度が−５度以上の場合にはロー信号が出力されるように設定されている。
【００３８】
出力端子２と出力端子３からは、回転角度を表す信号が出力される。具体的には、回転角度の絶対値が０度以上１０度未満の場合には、出力端子２，３ともローとなり、１０度以上３０度未満の場合には、出力端子２がハイ、出力端子がローとなる。また、３０度以上６０度未満の場合には、出力端子２がロー、出力端子がハイとなり、６０度以上の場合には、出力端子２，３は共にハイとなる。
【００３９】
サブマイコン３６０は、シャトル操作部１７０の出力端子１〜３から上述した信号を入力すると、入力した信号の状態に応じてズーム方向とズーム速度とを決定する。具体的には、出力端子１から入力した信号が、右回転を表す信号であれば、ズーム方向をテレ側とし、左回転を表す信号であれば、ワイド側とする。出力端子２，３から入力した信号が１０度以上３０度未満の回転角度を表す信号の場合にはズーム速度を低速とし、３０度以上６０度未満の回転角度を表す信号の場合には中速とする。また、６０度以上の回転角度を表す信号であれば、ズーム速度を高速とする。１０度未満の回転角度を表す信号の場合は、ズーム速度はゼロとする。
【００４０】
Ｄ．ズーム制御処理：
図６は、資料提示装置１００の動作中、サブマイコン３６０が常時実行するズーム制御処理のフローチャートである。
【００４１】
この処理が実行されると、サブマイコン３６０は、まず、シャトル操作部１７０から出力される信号を入力する（ステップＳ１０）。そして、上述した説明に従い、入力した信号に応じてズーム方向とズーム速度とを決定する（ステップＳ２０）。
【００４２】
次に、サブマイコン３６０は、レンズ制御マイコン１２７に対して上記ステップＳ２０において決定したズーム方向とズーム速度とを伝達し、これらのパラメータに基づき光学ズームを行わせる（ステップＳ３０）。
【００４３】
このとき、サブマイコン３６０は、レンズ制御マイコン１２７から、ズームレンズがテレ端に達した旨の信号を受信した場合には（ステップＳ４０）、レンズ制御マイコン１２７に替えて、映像信号処理ＩＣ３００に対して上記パラメータを伝達し、電子ズームを行わせる（ステップＳ５０）。映像信号処理ＩＣ３００は、電子ズームを行う際には、伝達されたズーム速度を表すパラメータに関係なく、一定の速度で電子ズームを行う。こうすることにより、現在のズームが光学ズームによるものなのか電子ズームによるものなのかを容易に判別することが可能となる。
【００４４】
サブマイコン３６０は、以上で説明した一連の処理を常時実行することで、シャトル操作部１７０の回転操作に応じて光学ズームあるいは電子ズームを行うことができる。
【００４５】
以上のように構成された本実施例の資料提示装置１００によれば、シャトル操作部１７０の回転角度に応じてズーム速度の調整を行うことができるため、ズームの微調整や大まかな調整を１つの操作部で容易に行うことができる。また、従来のジョグダイヤルのように、目的のズーム倍率に達するまでダイヤルを何回転もさせる必要がないため、効率的に目的のズーム倍率にズームを合わせることができる。また、光学ズームによるズームが限界に達した時点でズーム方式が電子ズームに切り替わることになるため、電子ズームによる画質の劣化を最低限に抑制することができる。また、光学ズームから電子ズームに切り替わった時点で、ズーム速度が一定となることから、現在行われているズームの方式がいずれの方式であるかを容易に判別することが可能となる。
【００４６】
以上、本発明の実施例について説明したが、本発明はこのような実施例に何ら限定されるものではなく、本発明の趣旨を逸脱しない範囲内において様々な形態で実施し得ることは勿論である。
【００４７】
例えば、上記実施例では、シャトル操作部１７０の回転操作に基づきズームの方向と速度とを調整するものとしたが、その他にも、少なくとも異なる２方向への操作方向が弁別可能であり、その各操作方向への操作量を検出可能なスティックやレバー、スライドスイッチ等を用いてズームの方向と速度とを調整するものとしてもよい。また、接触した指先の動きを検出するタッチパッドによって指先の動きを検出し、その移動方向や移動量に応じてズーム方向やズーム速度を調整するものとしてもよい。
【００４８】
また、上記実施例では、サブマイコン３６０がズーム制御処理を行うものとしたが、映像信号処理ＩＣ３００やレンズ制御マイコン１２７が行うものとしてもよい。
【００４９】
また、上記実施例では、ステージ１１０の一部にシャトル操作部１７０が設けられているものとしたが、カメラヘッド１２０の一部に取り付けられているものとしてもよい。また、資料提示装置１００を遠隔操作可能なリモコンに取り付けられているものとしてもよい。
【図面の簡単な説明】
【００５０】
【図１】資料提示装置１００の斜視図である。
【図２】資料提示装置１００の背面斜視図である。
【図３】操作パネル１１２の構成を示す説明図である。
【図４】資料提示装置１００の電気的構成を示すブロック図である。
【図５】シャトル操作部１７０から出力される信号を示す説明図である。
【図６】ズーム制御処理のフローチャートである。
【符号の説明】
【００５１】
１００...資料提示装置
１１０...ステージ
１１０...テーブル
１１２...操作パネル
１１３...メモリカード端子
１１４...ＵＳＢ端子
１１５...凹所
１１７...カバー
１２０...カメラヘッド
１２１...レンズユニット
１２３...アナログフロントエンド
１２４...タイミングジェネレータ
１２５...ズームモータ
１２６...ドライバＩＣ
１２７...レンズ制御マイコン
１２８...ズームレンズ
１３０...照明装置
１４０...カメラ保持アーム
１４２...テーブル側アーム
１４４...カメラ側アーム
１５０...照明装置保持アーム
１６０...ＤＶＩ出力端子
１６１...アナログＲＧＢ入力端子
１６２...アナログＲＧＢ出力端子
１６３...コンポジット端子
１６４...Ｓビデオ端子
１７０...シャトル操作部
１７１...オートフォーカスボタン
１７２，１７３...アイリスボタン
１７４...メモリカードボタン
１７５...画像記録ボタン
１７６...任意設定ボタン
１７７...入力切換ボタン
１７８...ホワイトバランスボタン
１７９...ランプボタン
１８０...ＯＳＤ操作ボタン
３００...映像信号処理ＩＣ
３１０...ＤＶＩ変換回路
３２０...フレームレート変換回路
３３０...ＤＡＣ
３４０...セレクタ回路
３５０...ダウンコンバータ
３６０...サブマイコン
【図１】
2006197320.tif 000003
【図２】
2006197320.tif 000004
【図３】
2006197320.tif 000005
【図４】
2006197320.tif 000006
【図５】
2006197320.tif 000007
【図６】
2006197320.tif 000008